(57)【要約】【課題】簡単な構成で衣類乾燥時間を短縮することができる空気調和機を提供する。【解決手段】空気調和機１００では、蒸発器６４における冷媒の蒸発潜熱を利用して除湿運転および衣類乾燥運転が行われる。除湿運転および衣類乾燥運転は、運転切換ボタン２０３を介して選択される。制御部９０は、衣類乾燥運転時の蒸発器６４を通る風量を除湿運転時よりも大きくする。  衣類乾燥運転時、風量が増大することによって除湿運転時よりも除湿能力は低下するが、風量が増大することによって、部屋干しされた衣類間に湿気を含んだ空気が滞留することを抑制する能力が増大するので、その分、衣類乾燥時間が短くなる。【選択図】図８
2015017766.tif 000002
【特許請求の範囲】
【請求項１】
蒸発器（６４）における冷媒の蒸発潜熱を利用した運転モードとして、除湿モードおよび衣類乾燥モードを含む空気調和機であって、
前記蒸発器（６４）に風を与える送風機（５０）と、
前記運転モードの中から必要なモードを選択するためのモード選択部（２０）と、
前記モード選択部（２０）で選択された前記モードに応じて、前記送風機（５０）を介して前記蒸発器（６４）を通る風量を制御する制御部（９０）と、
を備え、
前記除湿モードでは、前記蒸発器（６４）を通る風量の異なる大きさへの切換が、除湿能力が最大となる基準風量を含めて複数段階に分けて許容されており、
前記衣類乾燥モードでは、前記蒸発器（６４）を通る風量は前記除湿モードにおける前記基準風量よりも大きい風量に設定される、
空気調和機（１００）。
【請求項２】
前記衣類乾燥モードでは、前記蒸発器（６４）を通る風量は前記除湿モードにおける最大許容風量よりも大きい風量に設定される、
請求項１に記載の空気調和機（１００）。
【請求項３】
前記蒸発器（６４）を通る風量は、大きい方から順に少なくとも第１風量、第２風量、第３風量および第４風量が予め設定されており、
前記前記衣類乾燥モードが選択されたとき、前記第１風量が自動的に選択される、
請求項１に記載の空気調和機（１００）。
【請求項４】
前記第２風量は、前記除湿モードにおける最大許容風量であって、
前記第２風量における除湿能力は、前記第１風量における除湿能力よりも大きい、
請求項３に記載の空気調和機（１００）。
【請求項５】
空気清浄フィルタ（３５）をさらに備え、
前記空気清浄フィルタ（３５）を通過した空気のうち前記蒸発器（６４）を通過できない空気は、前記蒸発器（６４）をバイパスして前記送風機（５０）に吸い込まれる、
請求項３に記載の空気調和機（１００）。
【発明の詳細な説明】
【技術分野】
【０００１】
本発明は、運転モードとして除湿モードおよび衣類乾燥モードを含む空気調和機に関する。
【背景技術】
【０００２】
部屋干しされた衣類の乾燥時間を短縮する手段としては、空気調和機の除湿機能を利用して湿度を低下させ、適度の風量を送ることが一般的である。例えば、特許文献１（特開２００１−２２１４９６号公報）には、通常の除湿運転、空気清浄運転および衣類乾燥運転を任意に選択することができる除湿機が開示されている。
【０００３】
そして、衣類乾燥運転が選択されると、除湿運転と同じように、圧縮機とファンモータが動作するとともに、電気ヒータが通電される。この時、吹出口のフィルタケースは立ち上げておき、室内空気がフィルタを通過しないようにしておく。これによって、除湿通路からの高温除湿空気に空気清浄通路からの室内空気が加算された空気によって衣類の乾燥を行うことができる。
【発明の概要】
【発明が解決しようとする課題】
【０００４】
しかしながら、上記除湿機では、衣類乾燥運転モードにおける風量を稼ぐために、除湿時の空気通路とは別にもう１つ空気通路を設けているので、運転モードに関係なく１つの空気通路を用いるタイプに比べると内部構造が複雑である。
【０００５】
本発明の課題は、簡単な構成で衣類乾燥時間を短縮することができる空気調和機を提供することにある。
【課題を解決するための手段】
【０００６】
本発明の第１観点に係る空気調和機は、蒸発器における冷媒の蒸発潜熱を利用した運転モードとして除湿モードおよび衣類乾燥モードを含む空気調和機であって、送風機と、モード選択部と、制御部とを有している。送風機は、蒸発器に風を与える。モード選択部は、運転モードの中から必要なモードを選択するためのものである。制御部は、モード選択部で選択されたモードに応じて送風機を介して蒸発器を通る風量を制御する。また、除湿モードでは、蒸発器を通る風量の異なる大きさへの切換が、除湿能力が最大となる基準風量を含めて複数段階に分けて許容されている。衣類乾燥モードでは、蒸発器を通る風量は除湿モードにおける基準風量よりも大きい風量に設定される。
【０００７】
この空気調和機では、衣類乾燥モード時の風量が増大することによって除湿モード時よりも除湿能力は低下するが、風量が増大することによって、部屋干しされた衣類間に湿気を含んだ空気が滞留することを抑制する能力が増大するので、その分、衣類乾燥時間が短くなる。
【０００８】
本発明の第２観点に係る空気調和機は、第１観点に係る空気調和機であって、衣類乾燥モードでは、蒸発器を通る風量は除湿モードにおける最大許容風量よりも大きい風量に設定される。
【０００９】
本発明の第３観点に係る空気調和機は、第１観点に係る空気調和機であって、蒸発器を通る風量は、大きい方から順に少なくとも第１風量、第２風量、第３風量および第４風量が予め設定されている。そして、衣類乾燥モードが選択されたとき、第１風量が自動的に選択される。
【００１０】
本発明の第４観点に係る空気調和機は、第３観点に係る空気調和機であって、第２風量が、除湿モードにおける最大許容風量である。そして、第２風量における除湿能力は、第１風量における除湿能力よりも大きい。
【００１１】
本発明の第５観点に係る空気調和機は、第３観点に係る空気調和機であって、空気清浄フィルタをさらに備えている。空気清浄フィルタを通過した空気のうち蒸発器を通過できない空気は、蒸発器をバイパスして送風機に吸い込まれる。
【００１２】
この空気調和機では、衣類乾燥モード時に風量が増大にしても、蒸発器を通過できない分は蒸発器をバイパスして送風機に吸い込まれるので、騒音の増大が抑制される。
【発明の効果】
【００１３】
本発明の第１観点から第４観点のいずれか１つに係る空気調和機では、衣類乾燥モード時の風量が増大することによって除湿モード時よりも除湿能力は低下するが、風量が増大することによって、部屋干しされた衣類間に湿気を含んだ空気が滞留することを抑制する能力が増大するので、その分、衣類乾燥時間が短くなる。
【００１４】
本発明の第５観点に係る空気調和機では、衣類乾燥モード時に風量が増大にしても、蒸発器を通過できない分は蒸発器をバイパスして送風機に吸い込まれるので、騒音の増大が抑制される。
【図面の簡単な説明】
【００１５】
【図１】本発明の一実施形態に係る空気調和機１００の外観斜視図。
【図２】図１の空気調和機１００をＩ−Ｉ平面で切断したときの当該空気調和機１００の断面図。
【図３】空気調和機１００の分解斜視図。
【図４】空気の空気通路を模式的に示す斜視図。
【図５】冷媒サイクルユニット６０の配管系統図。
【図６】操作パネル２０の平面図。
【図７Ａ】除湿運転時の液晶表示部２０７の平面図。
【図７Ｂ】衣類乾燥運転時の液晶表示部２０７の平面図。
【図８】風量切換の制御フローチャート。
【図９】空気調和機の風量と除湿量との関係を示すグラフ。
【発明を実施するための形態】
【００１６】
以下、図面を参照しながら、本発明の実施形態について説明する。なお、以下の実施形態は、本発明の具体例であって、本発明の技術的範囲を限定するものではない。
【００１７】
（１）空気調和機１００の概要
説明の便宜上、上、下、左、右、正面（前面）、背面（後）といった各方向を表す語句を用いる。これらの各方向は、特にことわりのない限り、図１に示す方向を意味する。
【００１８】
図１は、本発明の一実施形態に係る空気調和機１００の外観図である。空気調和機１００は、図１に示す状態にて対象空間の床に設置されるタイプの装置である。空気調和機１００は、その側方より対象空間内の空気を取り込み、内部にて調和し、調和後の空気を上方から対象空間へと供給する。
【００１９】
空気調和機１００は、対象空間内の空気を除湿する除湿機能、対象空間の空気を加湿する加湿機能、更には対象空間の空気を浄化する空気清浄機能等を含む複数の機能を有している。つまり、空気調和機１００は、対象空間内の空気を、湿度の側面のみならず浄化の側面からも整える装置であると言える。
【００２０】
更に、空気調和機１００は、これらの機能を個別に選択または複数組み合わせて運転することが可能となっている。例えば、空気調和機１００は、除湿機能及び空気清浄機能が選択された場合、先ずは対象空間内の空気を取り込んで塵埃などを除去し、次いで当該空気を除湿し、更にその後当該空気を再び対象空間に排出する運転を行う。また、空気調和機１００は、例えば加湿機能及び空気清浄機能が選択された場合、先ずは対象空間内の空気を取り込んで塵埃などを除去し、次いで当該空気を加湿し、更にその後当該空気を再び対象空間に排出する運転を行う。
【００２１】
（２）空気調和機１００の構成
図２は、図１の空気調和機１００をＩ−Ｉ平面で切断したときの当該空気調和機１００の断面図である。また、図３は空気調和機１００の分解斜視図であり、図４は空気の空気通路を模式的に示す斜視図である。なお、図３では、図面を少しでも簡単にするため、側壁パネル１２（図１参照）は省略されている。図１及び図３において、空気調和機１００は、ケーシング１０、操作パネル２０及び本体部３０を備えている。
【００２２】
（２−１）ケーシング１０
ケーシング１０は、空気調和機１００の外郭を形成するものであり、箱状を成している。ケーシング１０は、複数のケーシング部材の組み合わせによって構成される。
【００２３】
複数のケーシング部材には、前パネル１１、側壁パネル１２、後パネル１３、底フレーム１４及び吹出口羽根１５が含まれており、これらはいずれも合成樹脂によって成形されている。
【００２４】
（２−１−１）前パネル１１
前パネル１１は、鉛直方向に延びる板であって、本体部３０の正面側を概ね覆っている。
【００２５】
（２−１−２）側壁パネル１２
側壁パネル１２は、鉛直方向に延びる板部材であって、空気調和機１００の右側面（より具体的には、前パネル１１側から見た場合における空気調和機１００の右側となる側面）を構成する。側壁パネル１２は、一部に右側吸込口１２ａが形成されているが、当該吸込口１２ａ付近を除き、本体部３０の右側を概ね覆っている。
【００２６】
右側吸込口１２ａは、側壁パネル１２のうち、前パネル１１に近い部分において鉛直方向に細長く延びている。右側吸込口１２ａからは、対象空間内の空気がケーシング１０内へと吸い込まれる。
【００２７】
（２−１−３）後パネル１３
後パネル１３は、平面視にてＬ字形状を保った状態で鉛直方向に延びる板部材である。後パネル１３は、空気調和機１００の左側面及び背面（より具体的には、前パネル１１から見た場合における空気調和機１００の左側となる側面及び後面）を構成する。後パネル１３の一部には、前パネル１１を挟んで右側吸込口１２ａと対峙する位置に、左側吸込口１３ａが形成されている。つまり、左側吸込口１３ａは、後パネル１３のうち、空気調和機１００の左側面となる部分且つ前パネル１１に近い部分において、縦方向つまりは鉛直方向に細長く延びている。後パネル１３は、左側吸込口１３ａ付近を除き、本体部３０の左側及び後側を概ね覆っている。左側吸込口１３ａからは、対象空間内の空気がケーシング１０内へと吸い込まれる。
【００２８】
（２−１−４）底フレーム１４
底フレーム１４は、ケーシング１０の底部であって、平面視において左右方向に細長い矩形の形状を有している。底フレーム１４の各辺は、前パネル１１、側壁パネル１２及び後パネル１３それぞれの下端と接する。
【００２９】
（２−１−５）吹出口羽根１５
吹出口羽根１５は、本体部３０の上方のうち背面側に設けられている板状の部材である。吹出口羽根１５は、側壁パネル１２の上端のうち背面側となる部分、後パネル１３の上端のうち左側面側となる部分の一部、及び背面側となる部分と接しており、ケーシング１０の背面側に位置する上面の部分を構成している。従って、吹出口羽根１５は、前パネル１１の上端とは接していない。
【００３０】
吹出口羽根１５は、駆動部（図示せず）によって、後パネル１３に対して回動可能に取り付けられている。空気調和機１００が運転を停止している際には、吹出口羽根１５は開姿勢を採り、当該羽根１５は、本体部３０の上方において、吹出口１５ａを介して本体部３０の一部分を露出させる。逆に、空気調和機１００が運転している際には、吹出口羽根１５は閉姿勢を採る。この場合、吹出口１５ａは閉じられ、本体部３０の上部が吹出口羽根１５によって覆われる。
【００３１】
吹出口羽根１５によって覆われていない吹出口１５ａからは、空気調和機１００にて整えられた空気がケーシング１０内から対象空間へと供給される。即ち、吹出口１５ａは、ケーシング１０の上面の一部に形成されている。なお、吹出口１５ａから吹出される空気の向きは、吹出口羽根１５が採り得る角度に応じて変更される。
【００３２】
（２−２）操作パネル２０
操作パネル２０は、本体部３０の上方のうち前パネル１１側に位置しており、本体部３０の上部のうち吹出口羽根１５によって覆われることがない部分を覆っている。即ち、操作パネル２０は、吹出口羽根１５と共に、ケーシング１０の上面を構成する。
【００３３】
操作パネル２０には、空気調和機１００の運転をオン及びオフさせるためのボタン、空気調和機１００の除湿機能、加湿機能及び空気清浄機能のうち少なくとも１つを選択するためのボタン、及び現在機能している運転の種類を表すＬＥＤ等が含まれている。
【００３４】
操作パネル２０は、図３に示すように、プリント基板２１、操作パネルカバー２２及び操作表示蓋２３が順に上へと重ねられることによって構成されている。プリント基板２１には、操作パネル２０上の各種ボタン、及びＬＥＤを動作させるための電気部品が実装されている。
【００３５】
操作パネルカバー２２は、操作パネルの外観を形作っている。操作表示蓋２３は、操作パネルカバー２２を保護する。
【００３６】
（２−３）本体部３０
本体部３０は、空気調和機１００が除湿機能等を実現するために必要な各種構成部材であって、且つケーシング１０内部に収納されている各種構成部材の集合体である。
【００３７】
図３に示すように、本体部３０には、放電ユニット３１、フィルタユニット３５、各種フレーム部材４１，４２，４３、ストリーマ放電ユニット４５、シロッコファン５０、冷凍サイクルユニット６０、加湿ユニット７０、除湿タンクユニット８０が含まれる。
【００３８】
（２−３−１）放電ユニット３１
放電ユニット３１は、右側放電ユニット３１ａ及び左側放電ユニット３１ｂを含む。これらのユニット３１ａ，３１ｂは、いずれも、鉛直方向に延びる縦長の筒状の形状を有している。
【００３９】
右側放電ユニット３１ａは、右側吸込口１２ａの近傍に配設され、左側放電ユニット３１ｂは、左側吸込口１３ａ近傍に配設される。従って、右側吸込口１２ａからケーシング１０内部へと取り込まれた空気は、右側放電ユニット３１ａを通過し、左側吸込口１３ａからケーシング１０内部へと取り込まれた空気は、左側放電ユニット３１ｂを通過する。
【００４０】
右側放電ユニット３１ａ及び左側放電ユニット３１ｂそれぞれは、正極であるタングステン製のイオン化線と、負極であるステンレス金属製の板状の電極とを有する。正極であるイオン化線に比較的高い電圧が印加されると、正極と負極との間には電位差が生じ、コロナ放電が生じる。この放電により、各ユニット３１ａ，３１ｂを通過する空気中の塵埃が帯電される。
【００４１】
（２−３−２）フィルタユニット３５
フィルタユニット３５は、各吸込口１２ａ，１３ａからケーシング１０内へと取り込まれた空気を浄化するためのものであって、各吸込口１２ａ，１３ａ付近に配設されている。特に、フィルタユニット３５は、空気が通過する他の構成部材に比して、空気流ＡＦ（図４参照）の流れ方向の最も上流側に位置している。
【００４２】
フィルタユニット３５は、プレフィルタ３６、集塵フィルタ３７及び脱臭フィルタ３８が、空気流ＡＦの流れ方向の上流側から下流側に向かって順に１枚ずつ重ねられることで構成されている。
【００４３】
プレフィルタ３６は、フィルタユニット３５を構成する各種フィルタ３６〜３８の中で、空気が最初に通過するフィルタである。先ず、ケーシング１０内に取り込まれた空気は、プレフィルタ３６にて大きな塵埃が除去される。
【００４４】
集塵フィルタ３７は、プレフィルタ３６よりも集塵性能が高いフィルタである。集塵フィルタ３７では、大きな塵埃が除去された後の空気に含まれる微細な塵埃等であって、放電ユニット３１を通過したときに帯電したものが除去される。原理的には、集塵フィルタ３７が塵埃に帯電している極とは反対の極に帯電されることで、プレフィルタ３６を通過した空気中の微細な塵埃を吸着させるようになっている。
【００４５】
脱臭フィルタ３８は、例えば活性炭によって構成されており、微細な塵埃が除去された後の空気が通過する。脱臭フィルタ３８は、当該空気中に含まれるホルムアルデヒド及び臭い成分等を分解または吸着する。
【００４６】
（２−３−３）フレーム部材４１，４２，４３
フレーム部材４１，４２，４３は、本体部３０の他の構成要素を支持するためのものであって、いずれも合成樹脂によって構成されている。フレーム部材４１，４２，４３としては、前フレーム４１、中央フレーム４２及び後フレーム４３が挙げられる。
【００４７】
前フレーム４１は、フィルタユニット３５を前パネル１１側にて支持し、ストリーマ放電ユニット４５を上部にて支持している。前フレーム４１には、図４に示すように、２つの鉛直風通路部材４１ａ，４１ｂが配設されている。
【００４８】
鉛直風通路部材４１ａ，４１ｂは、中空状の部材であって、互いに離れており、且つ鉛直方向に沿って細長く延びている。一方の鉛直風通路部材４１ａは、右側吸込口１２ａに近い側にて、右側吸込口１２ａに沿うようにして位置している。他方の鉛直風通路部材４１ｂは、左側吸込口１３ａに近い側にて、当該左側吸込口１３ａに沿うようにして位置している。
【００４９】
これらの鉛直風通路部材４１ａ，４１ｂ内部には空気が流れている。そして、各鉛直風通路部材４１ａ，４１ｂには、複数の放出口４１ｃ，４１ｄが鉛直方向に並んで形成されており、当該放出口４１ｃ，４１ｄからは、鉛直風通路部材４１ａ，４１ｂ内部を通る空気が放出される。
【００５０】
図３に示すように、中央フレーム４２は、前フレーム４１の後方側に設けられている。中央フレーム４２は、前フレーム４１側にて、冷凍サイクルユニット６０を支持している。冷凍サイクルユニット６０は、中央フレーム４２と前フレーム４１との間に配置されている。
【００５１】
また、中央フレーム４２は、その背面側である後パネル１３側にて、加湿ユニット７０を支持している。さらに、中央フレーム４２は、その背面側かつ下方側において、除湿運転時に凝縮した水を貯める除湿タンクユニット８０を支持している。
【００５２】
後フレーム４３は、中央フレーム４２の後方側に設けられている。加湿ユニット７０及び除湿タンクユニット８０は、中央フレーム４２と後フレーム４３との間に配置されている。後フレーム４３は、その上部にて、電装品箱８５を支持している。
【００５３】
電装品箱８５内には、空気調和機１００の各種構成部材を制御する制御部９０等が収容されている。後フレーム４３は、その背面側にて、シロッコファン５０を支持しており、後フレーム４３の中央部には、ベルマウス形状のベルマウス４３ａが設けられている。ベルマウス４３ａによって、各吸込口１２ａ，１３ａを介してケーシング１０内に流入した空気は、シロッコファン５０へと流れ込む。
【００５４】
（２−３−４）ストリーマ放電ユニット４５
ストリーマ放電ユニット４５は、放電ストリーマ本体４５ａ及び放電ストリーマガイド４５ｂを含む。
【００５５】
放電ストリーマ本体４５ａは、正極の電極及び負極の電極を有する。正極の電極は、タングステン製の針状の電極である。負極の電極は、正極の電極付近に位置し、正極の電極に対向する板状の電極である。針状の電極に高電圧が印加されることによって、プラズマ放電の一種であるストリーマ放電が発生し、酸化分解力の高い活性種が生成される。
【００５６】
放電ストリーマガイド４５ｂは、放電ストリーマ本体４５ａで生成された活性種を、図４に示すように、空気と共に前フレーム４１における鉛直風通路部材４１ａ，４１ｂへと導く。
【００５７】
鉛直風通路部材４１ａ，４１ｂに流入した活性種を含む空気は、放出口４１ｃ，４１ｄから前フレーム４１外部へと放出され、フィルタユニット３５の集塵フィルタ３７及び脱臭フィルタ３８を順に通過する。この際、空気に含まれる活性種は、集塵フィルタ３７に吸着された塵埃や細菌などを分解して浄化する。
【００５８】
（２−３−５）シロッコファン５０
シロッコファン５０は、吸込口１２ａ，１３ａからケーシング１０内に流入して吹出口１５ａからケーシング１０外に流出する１つの空気流路をケーシング１０内部に生成するためのものであって、ケーシング１０内部に１台のみ設けられている。図３に示すように、シロッコファン５０は、ファンロータ５１、スクロールケーシング５３及びファンモータ５５を含む。
【００５９】
ファンロータ５１は、その後側に配設されたファンモータ５５の出力軸と接続されている。ファンモータ５５が駆動すると、出力軸を介してファンモータ５５の駆動がファンロータ５１に伝達され、ファンロータ５１は駆動して回転する。駆動中のファンロータ５１は、空気を、出力軸の先端側（即ち、正面側）から吸い込んで径方向へと吹出す。
【００６０】
なお、図２に示すように、フィルタユニット３５を通過した空気（点線の矢印）は、蒸発器６４および凝縮器６２を通過してファンロータ５１に吸い込まれるが、蒸発器６４は凝縮器６２の上流側に位置し、且つその高さは凝縮器６２よりも低いので、風量が増大した場合でも蒸発器６４を通過できない空気は、蒸発器６４をバイパスしてファンロータ５１に吸い込まれる。それゆえ、騒音の増大が抑制される。
【００６１】
スクロールケーシング５３は、ファンロータ５１が収容されるスクロール湾曲部を有する合成樹脂製のケーシング部材である。スクロールケーシング５３は、後フレーム４３の背面部分に固定されている。
【００６２】
ファンモータ５５は、その回転速度を段階的に切換えられる。ファンモータ５５の回転速度は、最大風量モード時において最高出力に切換えられ、逆に最小風量モード時において最低出力に切換えられる。
【００６３】
スクロールケーシング５３の正面側には、正面方向から見た大きさがファンロータ５１の大きさと略同の開口が形成されており、当該開口がシロッコファン５０の吸入口５０ａとして機能する。
【００６４】
また、スクロールケーシング５３の上部には、開口が形成されており、当該開口がシロッコファン５０の排出口５０ｂとして機能する。排出口５０ｂは、吹出口１５ａに繋がっており、ケーシング１０の吹出口１５ａが露出すると排出口５０ｂも露出するようになっている。
【００６５】
また、スクロールケーシング５３の内部には、空気が流れるスクロール流路および排出流路が形成される。スクロール流路は、スクロール湾曲部においてファンロータ５１の外周面の外側に形成され、舌部から離れるのに伴い流路面積が大きくなるように形成されている。排出流路は、スクロール流路と連通して排出口５０ｂまで延びている。排出流路へと導かれた空気は、排出口５０ｂから排出される。
【００６６】
（２−３−６）冷凍サイクルユニット６０
図５は、冷媒サイクルユニット６０の配管系統図である。冷凍サイクルユニット６０は、圧縮機６１、凝縮器６２及び蒸発器６４を含む。圧縮機６１、凝縮器６２及び蒸発器６４が冷媒配管によって接続されることで、図５に示す冷媒回路６０ａが構成されている。
【００６７】
冷凍サイクルユニット６０は、主に、空気調和機１００が除湿運転を行う際に機能する。なお、冷媒回路６０ａ内には冷媒が循環している。冷媒の種類としては、Ｒ１３４ａ、ＣＯ２等が挙げられる。
【００６８】
圧縮機６１は、低圧のガス冷媒を吸入すると、この冷媒を圧縮して高圧のガス冷媒とした後に吐出する。圧縮機６１は、容量可変自在なタイプの圧縮機である。
【００６９】
凝縮器６２は、複数のフィンと、このフィンに挿入された複数の伝熱管とで構成されており、圧縮機６１から吐出された高圧のガス冷媒を凝縮して液化させる。これにより、凝縮器６２を通過した空気は、冷媒から熱を与えられ暖められる。凝縮器６２を通過した冷媒は、キャピラリチューブ６３にて減圧される。
【００７０】
蒸発器６４は、複数のフィンと、このフィンに挿入された複数の伝熱管とで構成されており、キャピラリチューブ６３にて減圧された後の液冷媒を蒸発させる。これにより、蒸発器６４を通過した空気は冷媒に吸熱されるため、空気自身は冷やされ、当該空気中に含まれる水分は凝縮する。即ち、蒸発器６４は、空気調和機１００が除湿運転を行う際に、空気を露点温度以下に冷却して除湿する。
【００７１】
蒸発器６４を空気が通過する際、空気中に含まれる水分の少なくとも一部が凝縮して水となる。この水は、ドレン水として、除湿タンクユニット８０に導かれる。
【００７２】
また、蒸発器６４を通過した冷媒からは、アキュムレータ６５にて液冷媒が除去される。ガス冷媒のみとなった冷媒は、再度圧縮機６１に吸入され、圧縮機６１にて圧縮されて吐出される。
【００７３】
（２−３−７）加湿ユニット７０
加湿ユニット７０は、主に、空気調和機１００が加湿運転を行う際に機能する。図３及び図４に示すように、加湿ユニット７０は、加湿ロータ７１、貯留部７２及び水タンク７３を含む。
【００７４】
加湿ロータ７１は、加湿運転時、水を一時的に保持すると共に、当該水を空気流路上の空気に付与するためのものである。加湿ロータ７１は、例えばリング状フレームに気化フィルタが取り付けられた構造を有する。加湿運転時には、気化フィルタから水が気化することによって加湿が行われる。
【００７５】
加湿ロータ７１は、図示しない加湿ロータ用モータを駆動源として回転する。加湿ロータ７１の回転に伴って、リング状フレームに取り付けられた柄杓状の部品により水がくみあげられ、回転に伴い乾いた気化フィルタに供給される。加湿ロータ７１の更なる回転により、当該部分における水は気化して空気に含まれることとなる。
【００７６】
貯留部７２は、水タンク７３から水を供給され、当該水を貯留する。水タンク７３は、貯留部７２に水を供給するためのタンクであり、側壁パネル１２の内面部分に固定されている。
【００７７】
（２−３−８）除湿タンクユニット８０
図３に示すように、除湿タンクユニット８０は、除湿タンク８１及び蓋部８３を含む。除湿タンク８１は、その上部が開放されており、蒸発器６４で発生したドレン水を貯留することができるようになっている。蓋部８３は、除湿タンク８１の上部を覆うように配置され、除湿タンク８１内に貯留されたドレン水が除湿タンクユニット８０の外部へと漏れないようにするためのものである。
【００７８】
なお、蓋部８３の概ね中央付近には、開口８３ａが設けられている。これにより、ドレン水は、蓋部８３上に一旦集められ、開口８３ａを介して除湿タンク８１内へと導入される。
【００７９】
（３）空気調和機の動作
ケーシング１０内には、１つのシロッコファン５０によって空気流路が１つ形成される。この空気流路内においては、吸込口１２ａ，１３ａからケーシング１０内に流入した空気が前パネル１１付近にて統合され、統合された空気は、ケーシング１０内を前パネル１１側から後パネル１３側へと移動し、ケーシング１０の上部における吹出口１５ａを介してケーシング１０外へと流出する。
【００８０】
フィルタユニット３５、蒸発器６４、凝縮器６２、加湿ロータ７１及びシロッコファン５０は、その空気流路内に順に配置されている。シロッコファン５０が駆動することによって、図４に示す空気流ＡＦが発生する。空気流ＡＦは、吸込口１２ａ，１３ａからケーシング１０内に流入し、フィルタユニット３５を通過することで、塵埃や臭い成分等が除去される。フィルタユニット３５を通過した空気流ＡＦは、次いで冷凍サイクルユニット６０にて除湿されるかまたは加湿ユニット７０で加湿された後、吹出口１５ａを介してケーシング１０外部へと吹き出され、再び対象空間内に戻される。
【００８１】
空気流ＡＦの一部は、空気調和機１００外へと吹き出されずに、支流ＢＦとしてストリーマ放電ユニット４５を通過する。ストリーマ放電ユニット４５を通過した支流ＢＦは、鉛直風通路部材４１ａ，４１ｂに流入し、放出口４１ｃ，４１ｄを介してフィルタユニット３５を通過する空気流ＡＦに合流する。
【００８２】
（４）風量切換について
（４−１）運転切換と風量切換との関係
図６は、操作パネル２０の平面図である。また、図７Ａは除湿運転時の液晶表示部２０７の平面図であり、図７Ｂは衣類乾燥運転時の液晶表示部２０７の平面図である。
【００８３】
先ず、図６において、操作パネル２０には、少なくとも運転入・切ボタン２０１、運転切換ボタン２０３、風量設定ボタン２０５、及び液晶表示部２０７が設けられている。
【００８４】
運転入・切ボタン２０１は、空気調和機１００へ電源を供給するため操作ボタンである。空気調和機１００が停止中に運転入・切ボタン２０１が押されると、空気調和機１００内の機器に電源が供給される。空気調和機１００が稼働中に運転入・切ボタン２０１が押されると、空気調和機１００内の機器への電源供給が遮断される。
【００８５】
運転切換ボタン２０３は、運転モードを選択するための操作ボタンであって、押される毎に空気清浄運転→除湿運転→衣類乾燥運転→加湿運転の順で運転が切り換わる。なお、除湿運転、衣類乾燥運転、及び加湿運転は全て空気清浄運転を兼ねている。
【００８６】
風量設定ボタン２０５は、風量を切り換えるための操作ボタンである。空気調和機１００には、大きさの異なる５段階の風量が予め設定されている。
【００８７】
各段階の名称は最も大きい方から順に、［ターボ］、［強］、［標準］、［弱］および［しずか］であり、空気清浄運転においては、風量設定ボタン２０５が押される毎に、［ターボ］→［強］→［標準］→［弱］→［しずか］の順に切り換わる。なお、説明の便宜上、風量の任意の段階を意味するときには「風量タップ」の名称を使用する。
【００８８】
また、除湿運転においては、風量設定ボタン２０５が押される毎に、風量タップは［強］→［標準］→［弱］の順に切り換わる。
【００８９】
これに対し、衣類乾燥運転においては、風量設定ボタン２０５の機能は働かず、運転切換ボタン２０３によって衣類乾燥運転が選択されと同時に、風量タップが［ターボ］に切り換わる。
【００９０】
液晶表示部２０７は、表示画面の上段に選択された運転モードを表示し、下段に選択された風量タップを表示する。図６において、表示画面の上段では空気清浄が表示され、下段では風量タップ［標準］の左隣に三角マークが表示されているので、稼動している運転モードは空気清浄運転であり、風量タップは標準に設定されていることが分かる。
【００９１】
そして、使用者が運転切換ボタン２０３を押して運転モードを空気清浄運転から除湿運転に切り換えると、図７Ａに示すように、表示画面の上段では除湿運転が表示され、下段には、例えば風量タップ［強］の左隣に三角マークが表示される。三角マーク２０９は、風量設定ボタン２０５が押されるまでは、前回の除湿運転時の風量タップの左隣に表示される。
【００９２】
そして、使用者が運転切換ボタン２０３を押して運転モードを除湿運転から衣類乾燥運転に切り換えと、図７Ｂに示すように、表示画面の上段では衣類乾燥運転が表示され、下段には風量タップ［ターボ］の左隣に三角マーク２０９が表示される。衣類乾燥運転時は、風量タップを［ターボ］から他の風量タップへ変更することはできない。
【００９３】
（４−２）風量切換の制御
図８は、風量切換の制御フローチャートである。図８において、制御部９０（図３参照）は、ステップＳ１において運転オン指令があるか否かの判定を行い、運転オン指令があると判定したときはステップＳ２へ進み、運転オン指令がないと判定したときは引き続きステップＳ１で待機する。
【００９４】
（４−２−１）空気清浄運転が選択される場合
制御部９０は、ステップＳ２において空清運転が選択されたか否かの判定を行い、空清運転が選択されたと判定したときはステップＳ３へ進み、空清運転が選択されていないと判定したときはステップＳ１２進む。
【００９５】
制御部９０は、ステップＳ３において空気清浄運転を開始し、ステップＳ４へ進む。制御部９０は、ステップＳ４において風量を前回の空気清浄運転時の風量に設定してステップＳ５へ進む。
【００９６】
制御部９０は、ステップＳ５において風量が選択されたか否かの判定を行い、風量が選択されたと判定したときはステップＳ６へ進み、風量が選択されていないと判定したときは現状の風量を維持したままステップＳ７進む。
【００９７】
制御部９０は、ステップＳ６において選択された風量タップに応じた風量となるようにシロッコファン５０の回転数を調節し、ステップＳ７へ進む。
【００９８】
制御部９０は、ステップＳ７において運転オフ指令があるか否かの判定を行い、運転オフ指令があると判定したときは制御を終了し、運転オン指令がないと判定したときはステップＳ２へ戻る。
【００９９】
（４−２−２）除湿運転が選択される場合
また、制御部９０は、ステップＳ２において空清運転が選択されていないと判定してステップＳ１２進んだときは、そのステップＳ１２において除湿運転が選択されたか否かの判定を行い、除湿運転が選択されていると判定したときはステップＳ１３へ進み、除湿運転が選択されていないと判定したときはステップＳ２２進む。
【０１００】
制御部９０は、ステップＳ１３において除湿運転を開始し、ステップＳ１４へ進む。制御部９０は、ステップＳ１４において風量を前回の除湿運転時の風量に設定してステップＳ１５へ進む。
【０１０１】
制御部９０は、ステップＳ１５において風量が選択されたか否かの判定を行い、風量が選択されたと判定したときはステップＳ１６へ進み、風量が選択されていないと判定したときは現状の風量を維持したままステップＳ７進む。
【０１０２】
制御部９０は、ステップＳ１６において選択された風量タップに応じた風量となるようにシロッコファン５０の回転数を調節し、ステップＳ７へ進む。
【０１０３】
制御部９０は、ステップＳ７において運転オフ指令があるか否かの判定を行い、運転オフ指令があると判定したときは制御を終了し、運転オン指令がないと判定したときはステップＳ２へ戻る。
【０１０４】
（４−２−３）加湿運転の場合
また、制御部９０は、ステップＳ１２において除湿運転が選択されていないと判定してステップＳ２２進んだときは、そのステップＳ２２において加湿運転が選択されたか否かの判定を行い、加湿運転が選択されていると判定したときはステップＳ２３へ進み、加湿運転が選択されていないと判定したときはステップＳ３２進む。
【０１０５】
制御部９０は、ステップＳ２３において加湿運転を開始し、ステップＳ２４へ進む。制御部９０は、ステップＳ２４において風量を前回の加湿運転時の風量に設定してステップＳ２５へ進む。
【０１０６】
制御部９０は、ステップＳ２５において風量が選択されたか否かの判定を行い、風量が選択されたと判定したときはステップＳ２６へ進み、風量が選択されていないと判定したときは現状の風量を維持したままステップＳ７進む。
【０１０７】
制御部９０は、ステップＳ２６において選択された風量タップに応じた風量となるようにシロッコファン５０の回転数を調節し、ステップＳ７へ進む。
【０１０８】
制御部９０は、ステップＳ７において運転オフ指令があるか否かの判定を行い、運転オフ指令があると判定したときは制御を終了し、運転オン指令がないと判定したときはステップＳ２へ戻る。
【０１０９】
（４−２−４）
また、制御部９０は、ステップＳ２２において加湿運転が選択されていないと判定してステップＳ３２進んだときは、そのステップＳ３２において衣類乾燥運転が選択されたか否かの判定を行い、衣類乾燥運転が選択されていると判定したときはステップＳ３３へ進み、衣類乾燥運転が選択されていないと判定したときはステップＳ２へ戻る。
【０１１０】
制御部９０は、ステップＳ３３において衣類乾燥運転を開始し、ステップＳ３４へ進む。制御部９０は、ステップＳ３４において風量をターボに設定してステップＳ７進む。
【０１１１】
制御部９０は、ステップＳ７において運転オフ指令があるか否かの判定を行い、運転オフ指令があると判定したときは制御を終了し、運転オン指令がないと判定したときはステップＳ２へ戻る。
【０１１２】
（４−３）風量と除湿量との関係
図９は、空気調和機１００の風量と除湿量との関係を示すグラフである。図９において、除湿量は、風量タップ［強］において最大となる。これに対し、風量タップ［ターボ］において除湿量は風量タップ［強］よりも劣るが、衣類乾燥時間は最短となる。
【０１１３】
つまり、空気調和機１００は、衣類乾燥運転時において、除湿量を犠牲にしてでも除湿運転時の最大風量を上回る風量に設定することによって、高い乾燥能力を発揮する。
【０１１４】
（５）特徴
（５−１）
空気調和機１００では、蒸発器６４における冷媒の蒸発潜熱を利用して除湿運転および衣類乾燥運転が行われる。除湿運転および衣類乾燥運転は、運転切換ボタン２０３を介して選択される。制御部９０は、衣類乾燥運転時の蒸発器６４を通る風量を除湿運転時よりも大きくする。
【０１１５】
衣類乾燥運転時、風量が増大することによって除湿運転時よりも除湿能力は低下するが、風量が増大することによって、部屋干しされた衣類間に湿気を含んだ空気が滞留することを抑制する能力が増大するので、その分、衣類乾燥時間が短くなる。
【０１１６】
（５−２）
除湿運転では、蒸発器６４を通る風量の異なる大きさへの切換が［強］、［標準］、［弱］等の複数段階に分けて許容されている。そして、衣類乾燥運転が選択されたとき、蒸発器６４を通る風量が除湿運転における最大許容風量［強］よりも大きい風量［ターボ］が自動的に設定される。風量［強］における除湿能力は、風量［ターボ］における除湿能力よりも大きい。
【０１１７】
（５−３）
空気調和機１００では、フィルタユニット３５を通過した空気のうち蒸発器６４を通過できない空気は、蒸発器６４をバイパスしてファンロータ５１に吸い込まれる。それゆえ、衣類乾燥運転時に風量が増大にしても、蒸発器６４を通過できない分は蒸発器６４をバイパスするので、騒音の増大が抑制される。
【符号の説明】
【０１１８】
２０      操作パネル（モード選択部）
３５      フィルタユニット（空気清浄フィルタ）
５０      シロッコファン（送風機）
６４      蒸発器
９０      制御部
１００    空気調和機
【先行技術文献】
【特許文献】
【０１１９】
【特許文献１】特開２００１−２２１４９６号公報
【図１】
2015017766.tif 000003
【図２】
2015017766.tif 000004
【図３】
2015017766.tif 000005
【図４】
2015017766.tif 000006
【図５】
2015017766.tif 000007
【図６】
2015017766.tif 000008
【図７Ａ】
2015017766.tif 000009
【図７Ｂ】
2015017766.tif 000010
【図８】
2015017766.tif 000011
【図９】
2015017766.tif 000012